(57)【特許請求の範囲】
【請求項１】
ロール紙巻出軸を備えるとともに、ロール紙巻出軸に負荷トルクを与えてロール紙巻出軸から引き出されるロール紙にバックテンションを付与するテンション付与装置をロール紙巻出軸に接続してなるロール紙供給部と、
ロール紙をロール紙巻出軸からプラテンローラまわりを経て引き出すロール紙引き出し部と、
ロール紙のプラテンローラにバックアップ支持されている部分に対し記録作業を行なう記録ヘッドとを有してなるロール紙型記録装置において、
前記テンション付与装置は、ロール紙巻出軸から引き出されるロール紙の巻き径が減少する特定の段階で、ロール紙巻出軸に与える負荷トルクを減少可能にするものであり、ロール紙巻出軸又はロール紙巻出軸に連動する連動軸に摩擦接続された複数の摩擦トルク板を備えるとともに、各摩擦トルク板をロックするロック装置を備え、複数の摩擦トルク板のうちのいずれかの摩擦トルク板のロック装置をオフ制御して当該摩擦トルク板をロック解除することにより、ロール紙巻出軸に与える負荷トルクを減少可能にし、
前記複数の摩擦トルク板はそれら摩擦トルク板に摩擦接触する各トルク伝達板を介してロール紙巻出軸又はロール紙巻出軸に連動する連動軸に接続されるとともに、各トルク伝達板を各摩擦トルク板に押圧する複数のばねを備え、各ばねのばね力の比率の調整によりロール紙の巻き径の変化による負荷トルクの変化を設定替えすることを特徴とするロール紙型記録装置。
【請求項２】
ロール紙巻出軸を備えるとともに、ロール紙巻出軸に負荷トルクを与えてロール紙巻出軸から引き出されるロール紙にバックテンションを付与するテンション付与装置をロール紙巻出軸に接続してなるロール紙供給部と、
ロール紙をロール紙巻出軸からプラテンローラまわりを経て引き出すロール紙引き出し部と、
ロール紙のプラテンローラにバックアップ支持されている部分に対し記録作業を行なう記録ヘッドとを有してなるロール紙型記録装置において、
前記テンション付与装置は、ロール紙巻出軸から引き出されるロール紙の巻き径が減少する特定の段階で、ロール紙巻出軸に与える負荷トルクを減少可能にするものであり、ロール紙巻出軸又はロール紙巻出軸に連動する連動軸に摩擦接続された複数の摩擦トルク板を備えるとともに、各摩擦トルク板をロックするロック装置を備え、複数の摩擦トルク板のうちのいずれかの摩擦トルク板のロック装置をオフ制御して当該摩擦トルク板をロック解除することにより、ロール紙巻出軸に与える負荷トルクを減少可能にし、
前記記録ヘッドによる１回の記録毎に、前記ロール紙引き出し部がロール紙を初期位置と引き出し位置との間で往復移動するとともに、
前記ロール紙供給部は上記ロール紙引き出し部の引き出し位置から初期位置への戻り過程でロール紙をロール紙巻出軸に巻き戻すロール紙巻取モータを備え、
ロール紙巻取モータは一方向クラッチを介して前記ロール紙巻出軸又は前記連動軸に備えた複数の摩擦トルク板が接続されているロック軸に接続され、一方向クラッチは、ロール紙巻取モータがロール紙巻出軸を逆転してロール紙をロール紙巻出軸に巻き戻すためのロール紙巻出軸の回転をロック軸に伝え、ロール紙をロール紙巻出軸から巻出し可能とするロール紙巻出軸の正転に伴うロック軸の回転はロックし、
複数の摩擦トルク板のうちの前記いずれかの摩擦トルク板とロック軸との間に電磁クラッチを介装し、電磁クラッチは、ロール紙巻取モータが停止しているロール紙巻出軸からのロール紙の巻出段階でロール紙の巻き径が予め定めた値より大なるときにはオンして一方向クラッチによる回転ロック状態にあるロック軸に当該摩擦トルク板を固定的に結合して当該摩擦トルク板を回転ロックし、ロール紙の巻き径が予め定めた値より小になったときにオフして当該摩擦トルク板をロック解除して回転自由とし、ロール紙巻取モータが駆動せしめられるロール紙巻出軸へのロール紙の巻き戻し段階ではオンすることを特徴とするロール紙型記録装置。
【発明の詳細な説明】
【０００１】
【発明の属する技術分野】
本発明は、ロール紙を引き出して文字、図形、写真等を印画するロール紙型記録装置に係り、特にカラー用昇華型熱転写記録式のロール紙型記録装置に関する。
【０００２】
【従来の技術】
従来、記録装置（プリンタ）として、熱転写記録式、感圧記録式等からなる記録ヘッドにより、ロール紙に記録を行なうロール紙型記録装置がある。このロール紙型記録装置では、ロール紙巻出軸を備えるとともに、ロール紙巻出軸に負荷トルクを与えてロール紙に巻出軸から引き出されるロール紙にバックテンションを付与するテンション付与装置をロール紙巻出軸に接続してなるロール紙供給部と、ロール紙をロール紙巻出軸からプラテンローラまわりを経て引き出すロール紙引き出し部と、ロール紙のプラテンローラにバックアップ支持されている部分に対し記録作業を行なう記録ヘッドとを有することとしている。
【０００３】
【発明が解決しようとする課題】
しかるに、従来技術では、ロール供給部のテンション付与装置がロール紙巻出軸に与える負荷トルクＴが一定であり、これに対してロール紙巻出軸から引き出されるロール紙の巻き径ｒは用紙の消費により刻々に減少している。このため、テンション付与装置がロール紙に付与するバックテンションＦ（＝Ｔ／ｒ）はロール紙の使用経過による巻き径の減少とともに増大することとなる。即ち、ロール紙の巻き径が大きいときにはバックテンションが小さく、巻き径が小さくなるとバックテンションが大きくなり、このことがロール紙の伸び等の挙動を変動せしめ、ロール紙における印画の見当精度を悪くする。
【０００４】
本発明の課題は、ロール紙型記録装置において、ロール紙の巻き径の変化に起因するロール紙のバックテンションの変化を抑制し、ロール紙における印画の見当精度を向上することにある。
【０００５】
【課題を解決するための手段】
請求項１に記載の本発明は、ロール紙巻出軸を備えるとともに、ロール紙巻出軸に負荷トルクを与えてロール紙巻出軸から引き出されるロール紙にバックテンションを付与するテンション付与装置をロール紙巻出軸に接続してなるロール紙供給部と、ロール紙をロール紙巻出軸からプラテンローラまわりを経て引き出すロール紙引き出し部と、ロール紙のプラテンローラにバックアップ支持されている部分に対し記録作業を行なう記録ヘッドとを有してなるロール紙型記録装置において、前記テンション付与装置は、ロール紙巻出軸から引き出されるロール紙の巻き径が減少する特定の段階で、ロール紙巻出軸に与える負荷トルクを減少可能にするものであり、ロール紙巻出軸又はロール紙巻出軸に連動する連動軸に摩擦接続された複数の摩擦トルク板を備えるとともに、各摩擦トルク板をロックするロック装置を備え、複数の摩擦トルク板のうちのいずれかの摩擦トルク板のロック装置をオフ制御して当該摩擦トルク板をロック解除することにより、ロール紙巻出軸に与える負荷トルクを減少可能にし、前記複数の摩擦トルク板はそれら摩擦トルク板に摩擦接触する各トルク伝達板を介してロール紙巻出軸又はロール紙巻出軸に連動する連動軸に接続されるとともに、各トルク伝達板を各摩擦トルク板に押圧する複数のばねを備え、各ばねのばね力の比率の調整によりロール紙の巻き径の変化による負荷トルクの変化を設定替えするようにしたものである。
【０００６】
請求項２に記載の本発明は、ロール紙巻出軸を備えるとともに、ロール紙巻出軸に負荷トルクを与えてロール紙巻出軸から引き出されるロール紙にバックテンションを付与するテンション付与装置をロール紙巻出軸に接続してなるロール紙供給部と、ロール紙をロール紙巻出軸からプラテンローラまわりを経て引き出すロール紙引き出し部と、ロール紙のプラテンローラにバックアップ支持されている部分に対し記録作業を行なう記録ヘッドとを有してなるロール紙型記録装置において、前記テンション付与装置は、ロール紙巻出軸から引き出されるロール紙の巻き径が減少する特定の段階で、ロール紙巻出軸に与える負荷トルクを減少可能にするものであり、ロール紙巻出軸又はロール紙巻出軸に連動する連動軸に摩擦接続された複数の摩擦トルク板を備えるとともに、各摩擦トルク板をロックするロック装置を備え、複数の摩擦トルク板のうちのいずれかの摩擦トルク板のロック装置をオフ制御して当該摩擦トルク板をロック解除することにより、ロール紙巻出軸に与える負荷トルクを減少可能にし、前記記録ヘッドによる１回の記録毎に、前記ロール紙引き出し部がロール紙を初期位置と引き出し位置との間で往復移動するとともに、前記ロール紙供給部は上記ロール紙引き出し部の引き出し位置から初期位置への戻り過程でロール紙をロール紙巻出軸に巻き戻すロール紙巻取モータを備え、ロール紙巻取モータは一方向クラッチを介して前記ロール紙巻出軸又は前記連動軸に備えた複数の摩擦トルク板が接続されているロック軸に接続され、一方向クラッチは、ロール紙巻取モータがロール紙巻出軸を逆転してロール紙をロール紙巻出軸に巻き戻すためのロール紙巻出軸の回転をロック軸に伝え、ロール紙をロール紙巻出軸から巻出し可能とするロール紙巻出軸の正転に伴うロック軸の回転はロックし、複数の摩擦トルク板のうちの前記いずれかの摩擦トルク板とロック軸との間に電磁クラッチを介装し、電磁クラッチは、ロール紙巻取モータが停止しているロール紙巻出軸からのロール紙の巻出段階でロール紙の巻き径が予め定めた値より大なるときにはオンして一方向クラッチによる回転ロック状態にあるロック軸に当該摩擦トルク板を固定的に結合して当該摩擦トルク板を回転ロックし、ロール紙の巻き径が予め定めた値より小になったときにオフして当該摩擦トルク板をロック解除して回転自由とし、ロール紙巻取モータが駆動せしめられるロール紙巻出軸へのロール紙の巻き戻し段階ではオンするようにしたものである。
【０００８】
【作用】
(a)テンション付与装置が、ロール紙巻出軸から引き出されるロール紙の巻き径ｒが減少する特定の段階で、ロール紙巻出軸に与える負荷トルクＴを減少せしめる。即ち、ロール紙の巻き径が大きいときには負荷トルクを大きく、巻き径が小さくなると負荷トルクを小さくし、結果としてロール紙に付与するバックテンションＦ（＝Ｔ／ｒ）の変化を抑制した。これにより、バックテンションに基づくロール紙の伸び等の挙動の変化を抑え、ロール紙における印画の見当精度を向上できる。
【０００９】
(b)テンション付与装置が、ロール紙巻出軸又はロール紙巻出軸に連動する連動軸に摩擦接続された複数の摩擦トルク板と、各摩擦トルク板のためのロック装置とを備えた。これにより、簡素な構成により、ロール紙巻出軸に与える負荷トルクをロール紙の巻き径の変化に応じて段階的に変化させ、結果としてロール紙に付与するバックテンションの変化を抑制できる。
【００１０】
(c)ロール紙にイエロー、マゼンタ、シアン、ブラックのための計 4回、又はイエロー、マゼンタ、シアンのための計 3回のカラー印画を行なうに際し、それらの 1回の記録毎に、ロール紙引き出し部によりロール紙を初期位置と引き出し位置との間で往復移動せしめるとき、ロール紙巻取モータの巻取トルク伝達経路に上記(b)の摩擦トルク板或いは連動軸と摩擦トルク板を置いた。このため、ロール紙巻取モータにより駆動されるロール紙巻出軸の逆転を摩擦トルク板の存在により滑らせることを可能とし、このロール紙巻出軸の逆転によるロール紙の巻き戻し速度を、ロール紙引き出し部の戻り移動速度により規制されているロール紙の引き戻し速度に合致せしめ、ロール紙をたるみや過度の緊張のない安定した巻き姿でロール紙巻出軸に巻き戻しできる。このとき、ロール紙巻出軸をロール紙巻取モータにより単に一定回転で逆転させると、ロール紙巻出軸によるロール紙の巻き戻し速度がロール紙の巻き径の変化につれて変動し、ロール紙巻出軸へのロール紙の巻き姿が変動することになって、ロール紙のこれに続く再引き出し姿の安定を損ない、ひいてはロール紙の次回印画の見当精度を損なう虞れがある。
【００１１】
即ち、摩擦トルク板を、ロール紙引き出し時のバックテンションの付与と、ロール紙引き戻し時の巻き姿の安定のために兼用でき、装置構成をコンパクトにできる。
【００１２】
【発明の実施の形態】
図１はロール紙型記録装置の一例を示す模式図、図２はロール紙供給部を示す模式図、図３はロール紙供給部の変形例を示す模式図である。
【００１３】
カラー用昇華型熱転写記録装置１０は、図１に示す如く、ケース１１に、ロール紙供給部１２、ロール紙引き出し部１３、リボンカセット１４、記録ヘッド１５、ロール紙排出部１６、切断部１７、スタッカ部１８、電装品１９を備えている。
【００１４】
ロール紙供給部１２は、ロール紙１の巻芯１Ａを着脱できるロール紙巻出軸２１を備えるとともに、ロール紙巻出軸２１に接続されるテンション付与装置２２、ロール紙巻取モータ２３を備える。テンション付与装置２２は、ロール紙巻出軸２１に負荷トルクを与えて、ロール紙引き出し部１３によりロール紙巻出軸２１から引き出されるロール紙１にバックテンションを付与し、ロール紙１の引き出し姿の安定を図る。ロール紙巻取モータ２３は、ロール紙引き出し部１３の戻り移動によるロール紙１のロール紙巻出軸２１への巻き戻し過程で、ロール紙巻出軸２１がロール紙１を安定した巻き姿で巻き戻しできるようにロール紙巻出軸２１を逆転駆動せしめる。
【００１５】
ロール紙引き出し部１３は、ロール紙１の先端部をクランプするクランプ装置３１を備え、このクランプ装置３１にクランプしたロール紙１をロール紙巻出軸２１からプラテンローラ３２まわりを経て引き出す。ロール紙引き出し部１３は、記録ヘッド１５による 1回の記録毎に、ロール紙１を初期位置Ａと引き出し位置Ｂとの間で直線往復移動せしめる。クランプ移動部３３は、クランプ装置３１の外側に設けられた歯車にタイミングベルトを装着し、このタイミングベルトをパルスモータで回転させる等により、タイミングベルトに保持されたクランプ装置３１を直線往復移動せしめる。ロール紙１の初期位置Ａと引き出し位置Ｂの間での引き出し速度と引き戻し速度は、クランプ移動部３３によるクランプ装置３１の移動速度に規制される。
【００１６】
リボンカセット１４は、イエロー、マゼンタ、シアン、ブラックの染料層を面順に有する昇華型インクリボン２の巻出芯２Ａと巻取芯２Ｂをそれぞれ着脱できるリボン巻出軸４１とリボン巻取軸４２を備え、リボン巻出軸４１から巻き出されてリボン巻取軸４２に巻き取られるリボン２をプラテンローラ３２まわりに引き回すとともに、リボン巻取モータ４３を備える。リボン２は、印画時に記録ヘッド１５によりロール紙１とともにプラテンローラ３２に挟圧され、ロール紙引き出し部１３のクランプ装置３１により引き出されるロール紙１に連れ移動してリボン巻出軸４１から巻き出されるとともに、リボン巻取モータ４３により駆動されるリボン巻取軸４２にたるみなく巻き取られる。
【００１７】
記録ヘッド１５は、印画時に待機位置から降下して、プラテンローラ３２にロール紙１とリボン２を挟圧し、昇華型熱転写方式により印画を行なう。
【００１８】
ロール紙排出部１６は、記録ヘッド１５による印画終了後、初期位置に戻ったロール紙引き出し部１３のクランプ装置３１により排出されるロール紙１を排出ガイド５１からスタッカ部１８へ導く。
【００１９】
切断部１７は、ロール紙排出部１６に設けられたカッタ５２によりロール紙１を所定サイズにカットする。
【００２０】
スタッカ部１８は、切断部１７によりカットされ、ロール紙排出部１６により排出されたロール紙１をトレー５３の上に蓄積する。
【００２１】
従って、記録装置１０による印画動作は以下の如くなされる。
(1) ロール紙引き出し部１３のクランプ装置３１によりロール紙１の先端をクランプするとともに、記録ヘッド１５を待機位置から降下してロール紙１とリボン２をプラテンローラ３２との間で挟圧する。
【００２２】
(2) ロール紙引き出し部１３のクランプ装置３１によりロール紙１を初期位置から引き出し、この引き出し中に印画が行なわれる。リボン２はロール紙１に連れ移動してリボン巻出軸４１からリボン巻取軸４２へと巻き取られる。ロール紙引き出し部１３のクランプ装置３１が引き出し位置に達すると、記録ヘッド１５を待機位置に上昇させ、ロール紙１の引き戻しを行なう。ロール紙１の引き戻しは、ロール紙引き出し部１３のクランプ装置３１が初期位置に戻るとともに、ロール紙巻取モータ２３によるロール紙巻出軸２１の逆転によりなされる。
【００２３】
(3) 印画が多色であれば、イエロー、マゼンタ、シアン、ブラックの各リボン２を用いて上記(2) を繰り返す。
【００２４】
(4) 上記(2) 、(3) の後、初期位置に位置付けられたロール紙引き出し部１３からロール紙排出部１６への排紙動作がなされる。即ち、ロール紙引き出し部１３のクランプ装置３１内に設けてある排紙ローラによりロール紙１の先端部をロール紙排出部１６の排出ガイド５１へと送給し、このロール紙１を切断部１７のカッタ５２により所定サイズにカットしてスタッカ部１８のトレー５３に蓄積する。
【００２５】
しかるに、記録装置１０にあっては、ロール紙供給部１２を図２に示す如く構成している。
【００２６】
即ち、ロール紙供給部１２にあっては、テンション付与装置２２が、ロール紙巻出軸２１から引き出されるロール紙１の巻き径ｒが減少する特定の段階で、ロール紙巻出軸２１に与える負荷トルクＴを減少せしめ、ロール紙１の巻き径の変化に起因するロール紙１のバックテンションＦ（＝Ｔ／ｒ）の変化を抑制せしめるものとしている。
【００２７】
具体的には、ロール紙供給部１２のテンション付与装置２２は、ロール紙巻出軸２１にギア列６１Ａ、６１Ｂを介して連動せしめてある連動軸６２にキー溝（もしくはスプライン溝）６３を設け、この連動軸６２の軸方向の 2位置に軸方向及び回転方向とも固定したトルク伝達板６４とばね受け板６５の間に、第１摩擦トルク板６６、トルク伝達板６７、第２摩擦トルク板６８、トルク伝達板６９、ばね７０を挟圧した。第１摩擦トルク板６６、第２摩擦トルク板６８はそれらの両面のそれぞれに摩擦パッド６６Ａ、６６Ｂ、６８Ａ、６８Ｂを接合され、連動軸６２に軸方向及び回転方向とも相対移動可能に嵌合されている。トルク伝達板６７、６９は、連動軸６２に軸方向に相対移動可能な状態で、回転方向には固定されている。即ち、第１摩擦トルク板６６と第２摩擦トルク板６８は、トルク伝達板６４、６７、６９を介して、連動軸６２に摩擦接続されている。このとき、第１摩擦トルク板６６、第２摩擦トルク板６８にはギア６６Ｃ、６８Ｃが設けられ、第１摩擦トルク板６６のギア６６Ｃには第１ロックギア７１が、第２摩擦トルク板６８のギア６８Ｃには第２ロックギア７２がかみ合いされている。
【００２８】
また、ロール紙供給部１２のテンション付与装置２２は、連動軸６２に並行をなすロック軸７３を有し、このロック軸７３にキー溝（もしくはスプライン溝）７４を設け、このロック軸７３に上述した第１ロックギア７１を固定するとともに、上述した第２ロックギア７２を電磁クラッチ７５のアーマチュア７５Ａを介して係脱可能に結合している。第２ロックギア７２は電磁クラッチ７５のオンによりロック軸７３に固定し、電磁クラッチ７５のオフにより回転自由になる。
【００２９】
そして、ロール紙供給部１２にあっては、前述したロール紙巻取モータ２３の出力ギア２３Ａを一方向クラッチ７６を介してロック軸７３の入力ギア７３Ａに接続せしめている。一方向クラッチ７６は、ロール紙巻取モータ２３がロール紙巻出軸２１を逆転してロール紙１をロール紙巻出軸２１に巻き戻すためのロール紙巻出軸２１の回転をロック軸７３に伝えるものの、ロール紙１をロール紙巻出軸２１から巻出し可能とするロール紙巻出軸２１の正転に伴うロック軸７３の回転はロックする。また、前述の電磁クラッチ７５は、ロール紙巻取モータ２３が停止しているロール紙巻出軸２１からのロール紙１の巻出段階でロール紙１の巻き径が予め定めた臨界値ｒa より大なるときにはオンして上述の如くに一方向クラッチ７６による回転ロック状態にあるロック軸７３に第２ロックギア７２を固定して該第２ロックギア７２を回転ロックし、ロール紙１の巻き径がｒa より小になったときにオフして第２ロックギア７２をロック解除して回転自由とする。また、電磁クラッチ７５は、ロール紙巻取モータ２３が駆動せしめられるロール紙巻出軸２１へのロール紙１の巻き戻し段階ではオンして第２ロックギア７２を回転ロックする。
【００３０】
尚、ロール紙供給部１２は、エンコーダ板７７を連動軸６２に固定し、エンコーダ板７７の回転量を検出するセンサ７８を備えており、ロール紙１の初期巻き径ｒ0 と、センサ７８の検出結果より求められるその後のロール紙巻出軸２１の回転量とから、現在のロール紙１の巻き径ｒを認識し、この認識結果をテンション付与装置２２がロール紙巻出軸２１に付与するトルク制御に用いることとしている。以下、ロール紙供給部１２によるロール紙１の巻出し作業と巻き戻し作業について説明する。
【００３１】
（ロール紙１の巻出し作業）
(1) ロール紙１の現在の巻き径ｒ1 が予め定めた臨界値ｒa より大なるとき
第１ロックギア７１はロック軸７３に固定されていて回転ロックせしめられ、第２ロックギア７２は電磁クラッチ７５のオンによりロック軸７３に固定されて回転ロックせしめられる（ロック軸７３は一方向クラッチ７６の存在によりロール紙１のロール紙巻出軸２１からの巻出しに伴う該ロック軸７３の回転方向には回転ロック状態にある）。これにより、ロール紙１のロール紙巻出軸２１に連動している連動軸６２に回転方向固定のトルク伝達板６４、６７、６９は、第１ロックギア７１、第２ロックギア７２にかみ合ってそれらのロックギア７１、７２と同様に回転ロック状態にある第１摩擦トルク板６６、第２摩擦トルク板６８の摩擦抵抗力に基づく大きな負荷トルクＴ1 を与えられ、ロール紙１にバックテンションＦ＝Ｔ1 ／ｒ1 を付与する。
【００３２】
(2) ロール紙１の消費により、ロール紙１の現在の巻き径ｒ2 が予め定めた臨界値ｒa より小になったとき
第１ロックギア７１はロック軸７３に固定されていて回転ロックせしめられ、第２ロックギア７２は電磁クラッチ７５のオフによりロック解除せしめられて回転自由になる。これにより、ロール紙１のロール紙巻出軸２１に連動している連動軸６２に回転方向固定のトルク伝達板６４、６７、６９は、第１ロックギア７１にかみ合って第１ロックギア７１と同様に回転ロック状態にある第１摩擦トルク板６６の摩擦抵抗力だけに基づく小さな負荷トルクＴ2 を与えられ、ロール紙１にバックテンションＦ＝Ｔ2 ／ｒ2 を付与する。
【００３３】
上記(1) 、(2) において、上記(1) のｒ1 、Ｔ1 は共に大、上記(2) のｒ2 、Ｔ2 は共に小であり、結果として、上記(1) のＦと上記(2) のＦの差を小ならしめることができる。
【００３４】
（ロール紙１の巻き戻し作業）
ロール紙引き出し部１３によりロール紙１を引き出し位置から初期位置へと引き戻すとき、ロール紙供給部１２のロール紙巻取モータ２３によりロール紙巻出軸２１を逆転駆動する。このとき、電磁クラッチ７５のオンにより第２ロックギア７２をロック軸７３に固定せしめる。これにより、ロール紙巻取モータ２３の回転力は両摩擦トルク板６６、６８がトルク伝達板６４、６７、６９に付与する大きな摩擦トルクを介して確実に連動軸６２、ロール紙巻出軸２１に伝達されてロール紙巻出軸２１を巻き戻し方向に逆転せしめる。同時に、ロール紙巻取モータ２３により駆動されるロール紙巻出軸２１の逆転速度を摩擦トルク板６６、６８の存在によりロール紙巻取モータ２３の回転速度に対し滑らすことを可能とし、ロール紙巻出軸２１によるロール紙１の巻き戻し速度をロール紙引き出し部１３の戻り移動速度により規制されているロール紙１の引き戻し速度に合致せしめるものとする。
【００３５】
従って、本実施形態によれば以下の作用がある。
▲１▼テンション付与装置２２が、ロール紙巻出軸２１から引き出されるロール紙１の巻き径ｒが減少する特定の段階で、ロール紙巻出軸２１に与える負荷トルクＴを減少せしめる。即ち、ロール紙１の巻き径が大きいときには負荷トルクを大きく、巻き径が小さくなると負荷トルクを小さくし、結果としてロール紙１に付与するバックテンションＦ（＝Ｔ／ｒ）の変化を抑制した。これにより、バックテンションに基づくロール紙１の伸び等の挙動の変化を抑え、ロール紙１における印画の見当精度を向上できる。
【００３６】
▲２▼テンション付与装置２２が、ロール紙巻出軸２１に連動する連動軸６２に摩擦接続された複数の摩擦トルク板６６、６８と、各摩擦トルク板６６、６８のためのロックギア７１、７２とを備えた。これにより、簡素な構成により、ロール紙巻出軸２１に与える負荷トルクをロール紙１の巻き径の変化に応じて段階的に変化させ、結果としてロール紙１に付与するバックテンションの変化を抑制できる。
【００３７】
▲３▼ロール紙１にイエロー、マゼンタ、シアン、ブラックのための計 4回、又はイエロー、マゼンタ、シアンのための計 3回のカラー印画を行なうに際し、それらの 1回の記録毎に、ロール紙引き出し部１３によりロール紙１を初期位置と引き出し位置との間で往復移動せしめるとき、ロール紙巻取モータ２３の巻取トルク伝達経路に上記▲２▼の連動軸６２、摩擦トルク板６６、６８を置いた。このため、ロール紙巻取モータ２３により駆動されるロール紙巻出軸２１の逆転を摩擦トルク板６６、６８の存在により滑らせることを可能とし、このロール紙巻出軸２１の逆転によるロール紙１の巻き戻し速度を、ロール紙引き出し部１３の戻り移動速度により規制されているロール紙１の引き戻し速度に合致せしめ、ロール紙１をたるみや過度の緊張のない安定した巻き姿でロール紙巻出軸２１に巻き戻しできる。このとき、ロール紙巻出軸２１をロール紙巻取モータ２３により単に一定回転で逆転させると、ロール紙巻出軸２１によるロール紙１の巻き戻し速度がロール紙１の巻き径の変化につれて変動し、ロール紙巻出軸２１へのロール紙１の巻き姿が変動することになって、ロール紙１のこれに続く再引き出し姿の安定を損ない、ひいてはロール紙１の次回印画の見当精度を損なう虞れがある。
【００３８】
即ち、ロール紙巻出軸２１に接続した同一の連動軸６２、摩擦トルク板６６、６８を、ロール紙引き出し時のバックテンションの付与と、ロール紙引き戻し時の巻き姿の安定のために兼用でき、装置構成をコンパクトにできる。
【００３９】
尚、ロール紙供給部１２のテンション付与装置２２にあっては、ロール紙１の巻き径の変化による負荷トルクの変化を、第１摩擦トルク板６６のパッド６６Ａ、６６Ｂの直径と第２摩擦トルク板６８のパッド６８Ａ、６８Ｂの直径の比率の調整により設定替えできる。
【００４０】
但し、ロール紙供給部１２のテンション付与装置２２にあっては、図３に示す如く、第１摩擦トルク板６６と第２摩擦トルク板６８の間のトルク伝達板６７をトルク伝達板６７Ａ、６７Ｂに２分し、それらの間にばね７０Ａを介装することにより、ばね７０のばね力とばね７０Ａのばね力の比率の調整により、ロール紙１の巻き径の変化による負荷トルクの変化を設定替えするものとしても良い。
【００４１】
以上、本発明の実施の形態を図面により詳述したが、本発明の具体的な構成はこの実施の形態に限られるものではなく、本発明の要旨を逸脱しない範囲の設計の変更等があっても本発明に含まれる。例えば、本発明の実施において、ロール紙１の巻き径の変化による負荷トルクの変化を 3段階以上の多段階、もしくは無段階に調整するものであっても良い。
【００４２】
また、本発明の実施において、摩擦トルク板のためのロック装置は、電磁クラッチによるものに限らず、電磁ソレノイドにより駆動されるロックアームを摩擦トルク板の外周歯面に係脱せしめるもの等、多様に変形できる。
【００４３】
また、本発明の実施において、摩擦トルク板を備える連動軸はロール紙巻出軸そのものであっても良い。
【００４４】
また、本発明は、ロール紙型記録装置であれば、熱転写記録方式によるものに限らず、広く一般の記録装置に適用できる。
【００４５】
【発明の効果】
以上のように本発明によれば、ロール紙型記録装置において、ロール紙の巻き径の変化に起因するロール紙のバックテンションの変化を抑制し、ロール紙における印画の見当精度を向上することができる。
【図面の簡単な説明】
【図１】図１はロール紙型記録装置の一例を示す模式図である。
【図２】図２はロール紙供給部を示す模式図である。
【図３】図３はロール紙供給部の変形例を示す模式図である。
【符号の説明】
１  ロール紙
１０  記録装置
１２  ロール紙供給部
１３  ロール紙引き出し部
１５  記録ヘッド
２１  ロール紙巻出軸
２２  テンション付与装置
２３  ロール紙巻取モータ
３２  プラテンローラ
６２  連動軸
６６、６８  摩擦トルク板
７１、７２  ロックギア（ロック装置）
７６  一方向クラッチ
【図１】
0003831766.tif 000002
【図２】
0003831766.tif 000003
【図３】
0003831766.tif 000004